(57)【要約】【課題】  少ない板材の採用にても、交差部におけるラチス材を含めた張弦材同士の軸芯の設定等が容易で、製作も簡便な張弦部材の交差部構造およびその構造架構を提供する。【解決手段】  上下に間隔を置いて配置された弦材のうち下弦材を多数の張弦部材２１を交差接続して構成される張弦部材の交差部構造において、一方向に張られた張弦部材２１同士を接続する通しプレート４０ａと、該通しプレート４０ａに交差接合される中空材１０３と、該中空材１０３に挿通固定される螺子部材１０４とからなり、該螺子部材１０４の少なくとも一方の端部に別方向に張られた張弦部材２２が螺合固定されて接続されたことにより、少ない板材の採用にても、交差部における（ラチス材を含めた）張弦材同士の偏心することのない軸芯の設定や交差部間の間隔調整が容易で、製作も簡便な張弦部材の交差部構造が得られて、応力の伝達も明快となる。【選択図】  図４
0003162650.tif 000002
【実用新案登録請求の範囲】
【請求項１】
上下に間隔を置いて配置された弦材のうち下弦材を多数の張弦部材を交差接続して構成される張弦部材の交差部構造において、一方向に張られた張弦部材同士を接続する通しプレートと、該通しプレートに交差接合される中空材と、該中空材に挿通固定される螺子部材とからなり、該螺子部材の少なくとも一方の端部に別方向に張られた張弦部材が螺合固定されて接続されたことを特徴とする張弦部材の交差部構造。
【請求項２】
前記通しプレートと中空材との両部材に接合されたガセットプレートにラチス材の一端部が接続されていることを特徴とする請求項１に記載の張弦部材の交差部構造。
【請求項３】
前記ラチス材の一端部を接続するガセットプレートが、前記通しプレートに交差接合される中空材の軸芯を回転中心にして、相互に所定角度を以て複数枚設けられたことを特徴とする請求項２に記載の張弦部材の交差部構造。
【請求項４】
前記通しプレートと、該通しプレートに交差接合される中空材に接合されたリブプレートとにより形成された入隅部に挿入接合されたガセットプレートにラチス材の一端部が接続されたことを特徴とする請求項１に記載の張弦部材の交差部構造。
【請求項５】
前記請求項１〜４のいずれかに記載の張弦部材の交差部構造が採用された構造架構。
【請求項６】
前記上弦材における交差する弦材同士の接合部が略直交する２枚の接合プレートで構成されており、これらの接合プレート間に形成された入隅部に挿入接合されたガセットプレートに前記ラチス材の他端部が接続されたことを特徴とする請求項１〜４のいずれかに記載の張弦部材の交差部構造が採用された構造架構。
【考案の詳細な説明】
【技術分野】
【０００１】
本考案は、体育館等の大張間建物の屋根架構等に用いられ、上下に間隔を置いて配置された弦材において、張弦梁を構成する少なくとも下弦材を多数の張弦部材を交差接続して構成される張弦部材の交差部構造およびその構造架構に関する。
【背景技術】
【０００２】
従来、体育館等の大張間建物の屋根架構等において、図２に示したような、Ｘ方向、Ｙ方向に交差配列された上弦材１１、同様にＸ方向、Ｙ方向に交差配列された下弦材２２、２１およびこれら上下の弦材１１、２１、２２をそれぞれ斜めに接続するラチス材３２、３１に、テンションロッド等の引張材を張弦部材として用いた張弦梁で構成される構造架構２が採用されることがあった。そして、張弦部材の交差部構造として、従来は、前記上弦材１１、１１の交差部から下方に延びる束材４０の下端部に、図１３に示すように、２方向からの張弦部材２１、２２が交差する通しプレート２００、２００を介して接続される等の方法によりなされていたが、図示の例のように束材４０に鋼管等を用いた場合、十字状に組み立てられた通しプレート２００、２００を設置するために鋼管にスリット等を
設けて差し込む必要があって製作が面倒である他、ラチス材３１、３２が張弦部材である下弦材２１、２２と通しプレート２００、２００と同一面内にある必要があって、適用される通しプレート２００と張弦部材である下弦材２１、２２およびラチス材３１、３２との関係が制約されていた。
【０００３】
そこで、下記特許文献１に記載されたようなトラス状骨組構造体が提案された。この特許文献１に開示されたトラス状骨組構造体は、柱状ハブと称する溝状嵌合部を複数有する円柱状体を部材同士の接合部に用い、鋼管部材の端部を前記溝状嵌合部に嵌合できる形状としたもの、あるいは該溝状嵌合部に嵌合できる形状に加工したブラケットと称する板材を介して部材をボルト接合することで立体架構を構成するものであるが、この発明では、主として押出し成形の容易なアルミ系の材料を想定しており、鋼材ではハブの溝状嵌合部の形状および溝状嵌合部に適合させた部材端部の加工は製作難度が高く、鉄骨架構等には適さないものであった。また、前記溝状嵌合部の機械的噛合いにより引張力に抵抗させるものであるため、大きな耐荷力を確保するには限界があった。
【０００４】
また、張弦部材である下弦材の交差部について、例えば、下記特許文献２に記載されたような張弦梁のケーブルの交差部の構造も提案された。この特許文献２に開示されたケーブルの交差部の構造は、下弦のケーブル交差部にある束材下端部において、略直交する２本のケーブルを挿通させる円柱状の交差部ブロックを設けることにより、ケーブル交差部の構造を従来のものよりも外観を軽快にし、かつ、部品点数および作業工数を削減できるようにしたものである。しかしながら、この考案では、略直交する２本のケーブルの交差のみを対象としており、該交差部にラチス材を接続することは想定していない。また、交差する２本のケーブル同士の軸芯は上下に偏芯しているので、仮にラチス材を介設しても、これら２本のケーブル相互間の力の伝達には不向きな構造であった。
【０００５】
さらに、本件出願人も、張弦部材である下弦材の交差部構造として、下記特許文献３に記載されたような大スパン架構体におけるプレストレス導入装置を提案した。この特許文献３に開示された大スパン架構体におけるプレストレス導入装置は、屋根架構下向きに突設した逆四角錐の立体トラス下端の球継手にスパン方向ケーブルを挿通し、屋根架構全体が組み上がってから前記ケーブルに張力を導入するものである。この発明では、前記逆四角錐の立体トラス下端の球継手の桁行方向には、ケーブルでない鋼管等の繋ぎ材が接続されるので張力導入はせず、板材で構成する張弦部材の交差部等には適用できないものであった。
【先行技術文献】
【特許文献】
【０００６】
【特許文献１】特開平１１−２３６７３２号公報（要約書参照）
【特許文献２】実開平６−７１６４７号公報（要約書参照）
【特許文献３】特開平３−５９２４４号公報（特許請求の範囲参照）
【考案の概要】
【考案が解決しようとする課題】
【０００７】
そこで、前述した特許文献に記載されたような、体育館等の大張間建物の屋根架構等に用いられる張弦梁を構成する張弦部材の交差部構造およびその構造架構の課題を解決して、少ない板材の採用にても、交差部におけるラチス材を含めた張弦部材同士の偏芯することのない軸芯の設定等が容易で、製作も簡便な張弦部材の交差部構造およびその構造架構を提供することを目的とする。
【課題を解決するための手段】
【０００８】
このため本考案は、上下に間隔を置いて配置された弦材のうち下弦材を多数の張弦部材
を交差接続して構成される張弦部材の交差部構造において、一方向に張られた張弦部材同士を接続する通しプレートと、該通しプレートに交差接合される中空材と、該中空材に挿通固定される螺子部材とからなり、該螺子部材の少なくとも一方の端部に別方向に張られた張弦部材が螺合固定されて接続されたことを特徴とする。また本発明は、前記通しプレートと中空材との両部材に接合されたガセットプレートにラチス材の一端部が接続されていることを特徴とする。また本発明は、前記ラチス材の一端部を接続するガセットプレートが、前記通しプレートに交差接合される中空材の軸芯を回転中心にして、相互に所定角度を以て複数枚設けられたことを特徴とする。また本発明は、前記通しプレートと、該通しプレートに交差接合される中空材に接合されたリブプレートとにより形成された入隅部に挿入接合されたガセットプレートにラチス材の一端部が接続されたことを特徴とする。また本発明は、前記いずれかに記載の張弦部材の交差部構造が採用された構造架構を構成要件とする。また本発明は、前記上弦材における交差する弦材同士の接合部が略直交する２枚の接合プレートで構成されており、これらの接合プレート間に形成された入隅部に挿入接合されたガセットプレートに前記ラチス材の他端部が接続されたことを特徴とする前記いずれかに記載の張弦部材の交差部構造が採用された構造架構を構成要件とするもので、これらを課題解決のための手段とする。
【考案の効果】
【０００９】
本考案によれば、請求項１の構成要件である、上下に間隔を置いて配置された弦材のうち下弦材を多数の張弦部材を交差接続して構成される張弦部材の交差部構造において、一方向に張られた張弦部材同士を接続する通しプレートと、該通しプレートに交差接合される中空材と、該中空材に挿通固定される螺子部材とからなり、該螺子部材の少なくとも一方の端部に別方向に張られた張弦部材が螺合固定されて接続されたことにより、少ない板材の採用にても、交差部における（ラチス材を含めた）張弦部材同士の偏芯することのない軸芯の設定や交差部間の間隔調整が容易で、製作も簡便な張弦部材の交差部構造が得られて、応力の伝達も明快な張弦構造が実現できる。
【００１０】
また、請求項２の構成要件である、前記通しプレートと中空材との両部材に接合されたガセットプレートにラチス材の一端部が接続されている場合は、通しプレートは１方向にしか使用せず、別方向である交差方向には中空材を用いることで、板材が目立つのを最小限に抑えることができて意匠的に優れる他、ガセットプレートが通しプレートと中空材との両部材に接合されて構造的に強固なガセットプレートにラチス材を接続できて、交差部の全体強度が向上する。さらに、請求項３の構成要件である、前記ラチス材の一端部を接続するガセットプレートが、前記通しプレートに交差接合される中空材の軸芯を回転中心にして、相互に所定角度を以て複数枚設けられた場合は、所定方向の張弦部材の接合に中空材を用い、任意方向からのラチス材の一端部を接続するガセットプレートの位置決めは、これらのガセットプレートの１辺を前記中空材の軸芯を回転中心として所定の角度を回転させるだけで、容易にそれらの向きを適正に調整することが可能となる。
【００１１】
さらにまた、請求項４の構成要件である、前記通しプレートと、該通しプレートに交差接合される中空材に接合されたリブプレートとにより形成された入隅部に挿入接合されたガセットプレートにラチス材の一端部が接続された場合は、ラチス材がＸＹいずれの方向にも傾斜するような配置で上下弦材間を接続するような場合にも容易に適用が可能となる他、ガセットプレートと通しプレートおよびリブプレートとの相貫線がラチス材芯と角度を持つため、その接合は隅肉溶接でも軸力伝達が可能なので、製作が簡便になる。
【００１２】
また、請求項５の構成要件である、前記いずれかに記載の張弦部材の交差部構造が採用された構造架構を構成要件とする場合は、上述したような各構成要件に基づく各効果を奏する張弦部材の交差部構造を採用することで、格段に改良された体育館等の大張間建物の屋根架構等の構造架構を構築することができる。
【００１３】
さらに、請求項６の構成要件である、前記上弦材における交差する弦材同士の接合部が略直交する２枚の接合プレートで構成されており、これらの接合プレート間に形成された入隅部に挿入接合されたガセットプレートに前記ラチス材の他端部が接続されたことを特徴とする前記いずれかに記載の張弦部材の交差部構造が採用された構造架構を構成要件とする場合は、交差部である上弦節点において、略直交する接合プレートで構成される入隅部にラチス材用のガッセットプレートを自由な角度で挿入接合できるので、ラチス材としてターンバックルのように軸周りに回転できる部材でなくとも、ねじり等の加工を伴うことなく平鋼やＬ形鋼等を用いて上弦節点と下弦節点間を接続できるので、製作が容易になる。
【図面の簡単な説明】
【００１４】
【図１】本考案の張弦部材の交差部構造が適用される構造架構の平面および断面図である。
【図２】本考案の張弦部材の交差部構造が適用される別の構造架構の平面および断面図である。
【図３】本考案の張弦部材の交差部構造が適用される第３の構造架構の平面および断面図である。
【図４】本考案の張弦部材の交差部構造の第１実施例を示すもので、図１のｂ−ｂ断面のＡ部およびその変形例、ならびに図１のａ−ａ断面のＢ部である。
【図５】本考案の張弦部材の交差部構造の第２実施例を示すもので、図１のｂ−ｂ断面のＣ部およびそのロ−ロ断面図である。
【図６】同、図１のａ−ａ断面のＤ部およびそのハ−ハ断面図である。
【図７】本考案の張弦部材の交差部構造の第３実施例を示すもので、図２のｂ’−ｂ’断面のＣ’部および図２のａ’−ａ’断面のＤ’部である。
【図８】本考案の張弦部材の交差部構造の第４実施例を示すもので、図２のｂ’−ｂ’断面のＡ’部およびそのイ’−イ’断面図である。
【図９】同、図２のｂ’−ｂ’断面のＣ’部および図２のａ’−ａ’断面のＤ’部である。
【図１０】同、図２のａ’−ａ’断面のＥ部である。
【図１１】本考案の張弦部材の交差部構造の第６実施例を示すもので、図３のｄ−ｄ断面のＦ部および図３のＧ部の平面図である。
【図１２】同、図１１（Ｂ）のｚ−ｚ断面および図３のＧ部の上弦交差部の斜視図である。
【図１３】従来の交差部例の斜視図である。
【考案を実施するための形態】
【００１５】
以下、本考案の張弦部材の交差部構造およびその構造架構を実施するための好適な形態を図面に基づいて説明する。本考案の張弦部材の交差部構造およびその構造架構は、図４に示すように、上下に間隔を置いて配置された弦材のうち下弦材を多数の張弦部材２１、２２を交差接続して構成される張弦部材の交差部構造において、一方向に張られた張弦部
材２１、２１同士を接続する通しプレート４０ａと、該通しプレート４０ａに交差接合される中空材１０３と、該中空材１０３に挿通固定される螺子部材１０４とからなり、該螺子部材１０４の少なくとも一方の端部に別方向に張られた張弦部材２２が（カプラー２３等により調整自在に）螺合固定されて接続されたことを特徴とするものである。
【実施例１】
【００１６】
第１実施例を図１の構造架構１について以下に述べる。構造架構１は上弦材１１が平面視で斜め格子状に配置され、下弦材２１、２２は平面視で直交格子状に配置された立体架構として構成される。Ｘ方向の下弦材２２とＹ方向の下弦材２１とが直交する一般部（端部でないＡ部およびＢ部等）は、後述する図４（Ａ）、図４（Ｄ）のように示される。図４（Ａ）に示される、一方向に張られた張弦部材であるＹ方向（ｂ−ｂ断面）の下弦材２１、２１は、束材４０の下端部の通しプレート４０ａに、羽子板２１ａ、２１ａにより接合プレート２１ｃ、２１ｃを介してボルト２１ｂ、２１ｂ等によって接続される。Ｙ方向の一般部では、ラチス材３１は下弦材２１と束材４０とで決定される平面内にあるので、ラチス材３１を羽子板３１ａにより接合プレート３１ｃを介してボルト等３１ｂによって、通しプレート４０ａに下弦材２１、２１とで共有して接続される。
【００１７】
一方、図４（Ｄ）に示すように、別方向に張られた張弦部材であるＸ方向の下弦材２２、２２は、束材４０の下端部の通しプレート４０ａに交差するように溶接等で突設された円筒状の中空材１０３に挿通された螺子部材１０４の両端部と、ターンバックル等のカプラー２３、２３を介して調整自在に螺合固定されて接続される。中空材１０３の内径は螺子部材１０４の外周に刻設された螺子径より大きく構成されており、螺子部材１０４は中空材１０３に対して遊嵌状態にて挿通される。螺子部材１０４の両端部は中空材１０３から突出する寸法とされ、これらの螺子部材１０４の両端部に螺合されるナット１０３ａ、１０３ａにより中空材１０３を締め付けることで螺子部材１０４は中空材１０３に固定される。Ｘ方向のラチス材３２は下弦材２２と束材４０とで決定される平面内にあるので、ガセットプレート１０２の１辺を円筒状の中空材１０３の軸芯１０３０（図４（Ａ））に合わせ、もう１辺はラチス材３２の軸芯が下弦材２２、２２の軸芯と束材４０の軸芯との交点に一致するようにして、中空材１０３および通しプレート４０ａに溶接等により接合し、ラチス材３２は羽子板３２ａを接合プレート３２ｃとボルト等３２ｂにより前記ガセットプレート１０２に接続される。なお、束材４０は図示された鋼管だけではなくＨ形鋼、Ｌ形鋼、溝形鋼等でもよい。以下の実施例においても同様である。また、図４（Ｂ）（Ｃ）は、下弦材２１およびラチス材３１と通しプレート４０ａとの接続の別態様を示すもので、二股状金物２１ｄ、３１ｄを用いた場合であるが、下弦節点部がコンパクトになり意匠的にも有利となる。
【実施例２】
【００１８】
本考案の張弦部材の交差部構造の第２実施例を示すもので、図１における構造架構１の下弦の隅部となるＣ部とＤ部に対応する。図５（Ａ）は図１のｂ−ｂ断面のＣ部で、図５（Ｂ）はそのロ−ロ断面図である。そして、図６（Ａ）は図１のａ−ａ断面のＤ部で、図６（Ｂ）はそのハ−ハ断面図である。これらに図示して示すように、図５のＣ部および図６のＤ部における下弦節点には下弦材２１、２２が片方からのみ接続され、反対側にはラチス材３１０、３１０がそれぞれ２本づつ、下弦材２１または２２と束材４０とで決定される平面に対して所定の角度を以って接続されるので、通しプレート４０ａと中空材１０３とに２辺が溶接等により接合されたガセットプレート１０２、１０２が設けられる。ガセットプレート１０２、１０２の取付けの向きは、Ｄ部について説明すれば、図６（Ｂ）に示すように、ガセットプレート１０２、１０２の面を中空材１０３の軸芯１０３０を中心に回転させ、ラチス材３２０、３２０の軸芯に一致する角度θ１およびθ２を決定すればよい。Ｃ部のラチス材３１０、３１０のガセットプレート１０２、１０２の取付けの向き（図５（Ａ）のθ２）も同様にして決定される。
【実施例３】
【００１９】
本考案の張弦部材の交差部構造の第３実施例を示すもので、図２の構造架構２のＣ’部とＤ’部に対応する。図７は、図２のｂ’−ｂ’断面のＣ’部および図２のａ’−ａ’断面のＤ’部である。ラチス材３２のガセットプレート１０２は１枚であり、その取り付け方法は図６（Ｂ）に示した角度θ１およびθ２が０度の場合に相当する。図２で１１は上弦材、１２は屋根ブレースを示す。なお、Ｘ方向の下弦材２２とＹ方向の下弦材２１とが直交する一般部であるＡ’部およびＢ’部は、前記実施例１のＡ部およびＢ部と同じである。
【実施例４】
【００２０】
本考案の張弦部材の交差部構造の第４実施例を示すもので、図２の構造架構２のＡ’部とＣ’部、Ｄ’部に対応する。図８は、図２のｂ’−ｂ’断面のＡ’部およびそのイ’−イ’断面図である。図９は図２のｂ’−ｂ’断面のＣ’部および図２のａ’−ａ’断面のＤ’部である。また図１０は、図２のａ’−ａ’断面のＥ部である。構造架構２は、上弦材と下弦材が重なるようにして直交格子状に配置された立体架構である。本実施例は、ガセットプレート１０２の取り付け方が、図６（Ｂ）に示された角度θ１およびθ２が０度の場合であって、通しプレート４０ａを挟む２枚の下弦材接合プレート１０１、１０１によってＹ方向の下弦材２１、２１を接続する方法によるものである。本実施例では、中空材１０３は図示したように、通しプレート４０ａではなく、該通しプレート４０ａを両側から挟持する下弦材接合プレート１０１、１０１の少なくともどちらか１枚に交差するように突設される。したがって、ラチス材用ガセットプレート１０２と一体化した中空材１０３と、通しプレート４０ａ付きの束材４０とが分離されるので、部品点数が増えるものの製造上の扱いが容易となる。
【実施例５】
【００２１】
図示は省略されるが、前記実施例４と同じく、通しプレート４０ａを両側から挟持する下弦材接合プレート１０１、１０１を有する場合であって、図１の構造架構１の端部であるＣ部とＤ部に対応するものである。第２実施例（図５、図６参照）と同様に、下弦材２１または２２と束材４０とで決定される平面とラチス材３１０および３２０とが角度をなすので、図５、図６にて説明したのと同じ方法、すなわち中空材１０３の軸芯１０３０を回転中心にして相互に角度（図６（Ｂ）のθ１、θ２参照）を以って、ラチス材用ガセットプレート１０２、１０２を、下弦材接合プレート１０１と中空材１０３とに溶接等により接合するものである。
【実施例６】
【００２２】
本考案の張弦部材の交差部構造の第６実施例を示すもので、図１１は、図３の構造架構３のｄ−ｄ断面のＦ部および図３のＧ部の平面図である。図１２は、図１１（Ｂ）のｚ−ｚ断面および図３のＧ部の上弦交差部の斜視図である。本実施例では、Ｘ方向のラチス材５０はＬ形鋼、Ｙ方向のラチス材３３は平鋼の場合を示す。図１１（Ａ）（Ｂ）に示したＹ方向の下弦材２１、２１は、Ｘ方向のラチス材５０の下端に接合する通しプレート５０ａに交差するように、溶接等で突設・接合された円筒状の中空材１０３に挿通した螺子部材１０４の両端部と、ターンバックル等のカプラー２３、２３を介して接続されている。螺子部材１０４は、ナット１０３ａ、１０３ａにより中空材１０３を締め付けることで固定され、円筒状の中空材１０３の軸芯１０３０に合わせてリブプレート１１０が接合して取り付けられ（図１２（Ａ））、該リブプレート１１０を挟むようにして、Ｙ方向のラチス材３３、３３を接続するガセットプレート１０２、１０２が、通しプレート５０ａとリブプレート１１０とで形成される入隅部９９、９９に挿入され、溶接等により接合される。
【００２３】
一方、図１２（Ｂ）に示すように、上弦交差部である上弦接合部は、略直交する２枚の上弦材接合プレート１３０、１３０により構成され、これら上弦材接合プレート１３０、１３０により形成される入隅部９９、９９に、Ｙ方向のラチス材３３を接続するガセットプレート１０２が挿入され、溶接等により接合される。ラチス材３３の両端は、図１１に示すように、ボルト３３ｂと接合プレート３３ｃを介してガセットプレート１０２、１０２に接続される。したがって、上弦も下弦もＹ方向のラチス材３３を接続するガセットプレート１０２は、任意の角度で入隅部９９に挿入できるので、ラチス材としてターンバックル付き鋼棒のように軸周りに回転できる部材でなく、本実施例のように平鋼やＬ形鋼等を用いた場合でも、ねじり等の加工を伴うことなく平鋼やＬ形鋼等を用いて上弦節点と下弦節点間を接続できるので、製作が容易になる。
【００２４】
言うまでもないことであるが、Ｙ方向のラチス材３３を引張材として用いる場合は、形鋼ではなく必要断面積の鋼棒等を用いてもよいことは当然である。以上、述べてきたように、本考案によれば、体育館等の大張間建物の屋根架構等に用いる張弦梁の張弦部材の交差部を容易に製作することができる。特に、ラチス材が下弦材と束材とで決定される平面内にない場合でもコンパクトな構造にでき、意匠的にも優れて有利な交差部構造を提供でき、張弦梁を用いた構造架構のバリエーションを広げることができる。
【００２５】
以上、本考案の実施例について説明してきたが、本考案の趣旨の範囲内で、構造架構の形式、形状（交差して接続された上弦材に対する下弦材の平面視で見た関連構成は図１〜図３の他に適宜の構成が採用され得る）および材質（好適には鋼材が採用されるがその他の金属材でもよい）、通しプレートの形式、形状および下弦材（張弦部材）、中空材、束材、下弦材接合プレート、リブプレート、ガセットプレートとの接合形態を含む関連構成、中空材、束材、下弦材接合プレート、リブプレート、ガセットプレートの形式、形状、ガセットプレートへのラチス材の接続形態（二股状の金物や羽子板等を介した接続の他、適宜の接続金具が採用できる）、中空材への螺子部材の挿入・固定形態、螺子部材と張弦部材とのカプラー等を介した長さ調整形態等はついては適宜選定できる。また、実施例に記載の諸元はあらゆる点で単なる例示に過ぎず限定的に解釈してはならない。
【産業上の利用可能性】
【００２６】
本考案の張弦部材の交差部構造およびその構造架構は、体育館等の大張間建物の屋根架構等に用いられるが、少なくとも下弦材を多数の張弦部材を交差接続して構成される張弦部材の交差部であれば、様々な構造物に適用できる。
【符号の説明】
【００２７】
１、２、３              構造架構
１１                    上弦材
１２                    屋根ブレース
２１                    Ｙ方向下弦材（張弦部材）
２２                    Ｘ方向下弦材（張弦部材）
２３                    カプラー
３１、３１０、３３      Ｙ方向ラチス材
３２、３２０、５０      Ｘ方向のラチス材
４０                    束材
４０ａ、５０ａ、２００  通しプレート
９９                    入隅部
１０１                  下弦材接合プレート
１０２                  ガセットプレート
１０３                  中空材
１０３ａ                ナット
１０４                  螺子部材
１１０                  リブプレート
１３０                  上弦材接合プレート
１０３０                中空材の軸芯
θ１、θ２              ラチス材におけるガセットプレートの開き角度
【図１】
0003162650.tif 000003
【図２】
0003162650.tif 000004
【図３】
0003162650.tif 000005
【図４】
0003162650.tif 000006
【図５】
0003162650.tif 000007
【図６】
0003162650.tif 000008
【図７】
0003162650.tif 000009
【図８】
0003162650.tif 000010
【図９】
0003162650.tif 000011
【図１０】
0003162650.tif 000012
【図１１】
0003162650.tif 000013
【図１２】
0003162650.tif 000014
【図１３】
0003162650.tif 000015